(57)【特許請求の範囲】
【請求項１】
シャワーヘッドの吐水口に散水板を設け、上記散水板に散水孔を環状に列設して形成した散水孔列を同心円状に複数条列設し、複数条の散水孔列の散水孔の孔径を中央部にある散水孔列から外周部にある散水孔列に向って漸次小さく形成し、散水板の内面を外周縁から中央部に亘ってシャワーヘッドの吐水方向に傾斜させたことを特徴とするシャワーヘッドの散水部の構造。
【請求項２】
少なくとも散水板を樹脂により形成したことを特徴とする請求項１に記載のシャワーヘッドの散水部の構造。
【発明の詳細な説明】
【０００１】
【発明の属する技術分野】
本発明は、洗面化粧台等の給水管路の先端に取り付けられるシャワーヘッドの散水部の構造に関する発明である。
【０００２】
【従来の技術】
従来から、洗面台等の給水管路の先端にシャワーヘッドを取り付け、シャワーヘッドの先端の散水板に複数の散水孔を穿設し、給水栓からシャワーヘッドに供給された湯水を複数の散水孔を介してシャワー水に分割し、シャワーヘッドの散水板から噴出させるものであった。その際に、散水板の散水孔の径が大きい場合にはシャワー水が太くて勢いのあるものになり、シャワー水の着地する場所、例えば、洗面化粧台の洗面ボウルにシャワー水が当たって跳ね返り、広範囲において湯水が飛び跳ねてしまうものであった。上記の問題を解決する為に散水板の散水孔の径を小さく設定すると、シャワーヘッドに供給される湯水に含まれる細かなゴミ等が散水板の径の小さな散水孔に詰まり易く、シャワー水が噴出されにくいものになってしまったり、散水板内側のシャワーヘッド内の圧力が高まり、散水孔から噴出されるシャワー水が意図せぬ方向に噴出してしまうことがあるものであった。
【０００３】
【発明が解決しようとする課題】
本発明は上記の点に鑑みてなされたものであり、シャワーヘッドの散水板から噴出されるシャワー水がシャワー水の着地位置での湯水の跳ね返りを防止すると共に、散水板の散水孔の詰まりも防止したシャワーヘッドの散水部の構造を提供することを課題とするものである。
【０００４】
【課題を解決するための手段】
上記課題を解決するために本発明の請求項１に係るシャワーヘッドの散水部の構造は、シャワーヘッド１の吐水口１ａに散水板２を設け、上記散水板２に散水孔３を環状に列設して形成した散水孔列４を同心円状に複数条列設し、複数条の散水孔列４の散水孔３の孔径を中央部にある散水孔列４から外周部にある散水孔列４に向って漸次小さく形成し、散水板２の内面２ａを外周縁から中央部に亘って吐水方向に傾斜させたことを特徴とする。これにより、シャワーヘッド１から供給された湯水は散水板２の多数の散水孔３でもって分割されて各々シャワー分流ｄ（ｄ１，ｄ２）として散水板２から噴出させるものであるが、散水孔３を環状に列設して形成した散水孔列４を同心円状に複数条列設し、複数条の散水孔列４の散水孔３の孔径を中央部にある散水孔列４から外周部にある散水孔列４に向って漸次小さく形成したことで、散水板２の多数の散水孔３から噴出されるシャワー分流ｄがシャワー水Ｄの中央部から外周部に向って漸次細くなるように形成されるものであり、上記シャワー水Ｄが洗面ボウル１５等に着地した際には、シャワー水Ｄの外周縁に位置する径の小さな散水孔３ｂから噴出されるシャワー分流ｄ２では流量が少ないので湯水の跳ね返りを小さなものとすることができ、また、シャワー水Ｄの中央部に位置する径の大きな散水孔３ａから噴出されるシャワー分流ｄ１は流量が多く湯水の跳ね返りは大きなものとなるが、跳ね返った湯水のうち外側に飛散するものはシャワー水Ｄの外周縁に位置するシャワー分流ｄ２が外側に飛散するのを遮断するものであり、シャワー水Ｄの湯水の跳ね返りを大幅に抑えることができるものである。
【０００５】
また、径の大きな散水孔３ａは湯水を噴出する流量が多いものであるのでシャワーヘッド１から散水板２に至る湯水の流れでは径の大きな散水孔３ａに向って流れる湯水の流れＡが主流になるものであり、また、散水板２の内面２ａでは流量の少ない径の小さな散水孔３ｂが配された外周縁から径の大きな散水孔３ａが配された中央部に向って吐水方向に突出するように傾斜しているので、散水板２の内面２ａに沿った径の大きな散水孔３ａに向かう湯水の流れＢが形成されるものである。湯水に含まれる微細なゴミ５は径の大きな散水孔３ａに向う湯水の流れＡ，Ｂの影響を大きく受けるものであるので、ゴミ５は散水板２の湯水の流れＡ，Ｂに運ばれて中央部に移動し、径の大きな散水孔３ａからシャワーヘッド１の外部に噴出されるものであり、ゴミ５が径の小さな散水孔３ｂに詰まることを防止するものである。
【０００６】
また、本発明の請求項２に係るシャワーヘッドの散水部の構造は、請求項１において、少なくとも散水板２を樹脂により形成したことを特徴とする。これにより、製造上容易に形成することができ、またコストダウンも図れるものである。
【０００７】
【発明の実施の形態】
以下、本発明を添付図面に示す実施形態に基づいて説明する。
【０００８】
図１乃至図５に本発明の実施の形態の例を示す。図４に示すように洗面化粧台の洗面ボウル１５の後部の取付台６には操作レバー７と受部８が形成されており、洗面化粧台の内部には給水管路（図示せず）が配設されているものである。受部８には大きく分けて円筒状の把手部９と後述するシャワーヘッド１とで構成されるシャワー体１０が着脱自在に装着されるものである。その際にはシャワー体１０の把手部９を受部８に上方から挿し込むように嵌合させるものである。把手部９の長手方向の両端部のうち、一端ではシャワーヘッド１と連結し、他端では給水管路から延出する給水ホース（図示せず）に連結しているものである。つまり、給水管路から給水ホース、把手部９を経てシャワーヘッド１まで連通し、湯水が供給されるものである。以下、上記給水管路からシャワーヘッドに供給される湯水の進路方向を吐水方向とするものである（図５中の矢印Ｘ）。例えば、把手部９では吐水方向の前端でシャワーヘッド１と連結し、吐水方向の後端で受部８に嵌合しているものである。なお、操作レバー７はシャワーヘッド１に供給する湯水の調整（温度，流量等）を行うものである。
【０００９】
シャワーヘッド１は略垂直に屈曲して両端に開口（吐出口１ａ，供給口１ｂ）を有する略エルボ管状に形成されたものである。両端の開口（吐出口１ａ，供給口１ｂ）は吐水方向の前端に吐出口１ａが位置し、後端に供給口１ｂが位置するものである。なお、シャワーヘッド１の表面には押釦１４が形成されているが、これは後述するストレート吐水部１１とシャワー吐水部１２への流路の切り替えを操作するものである。供給口１ｂでは上述した把手部９の吐水方向の前端と供給口１ｂの外周方向に回動自在に取り付けられるものであり、一方、吐出口１ａでは外周方向に亘ってネジ山１ｃが形成されており、後述する散水板取付縁１３が取り付けられるものである。
【００１０】
散水板取付縁１３は円筒状に形成されたものであり、前述したシャワーヘッド１と後述する散水板２との連結部材である。散水板取付縁１３は吐水方向の前後端に円筒の開口を位置し、吐水方向の後端でシャワーヘッド１の吐出口１ａと固定すると共に、吐水方向の前端で散水板２と固定するものである。
【００１１】
散水板２は外周縁に比して中央部が突出したような略円錐板状に形成されているものである。この散水板２の外周縁と上記散水板取付縁１３の吐水方向の前端とが連結され、散水板取付縁１３の吐水方向の前端開口を被覆するように散水板２が固定されるものである。このとき、略円錐板状の散水板２はその中央部が吐水方向に突出するように固定されるものである。以下、散水板２の形状の詳細を記す。散水板２の中央部には開口１１ａを穿設し、上記開口１１ａの外縁に沿って吐水方向に延伸した円管が形成されており、上記開口１１ａ及び円管からストレート吐水部１１が形成されている。また、ストレート吐水部１１の外周縁から散水板２の外周縁に亘ってシャワー吐水部１２が形成されている。つまり、散水板２はストレート吐水部１１とシャワー吐水部１２で構成されるものである。ストレート吐水部１１の開口１１ａには、上記開口１１ａを被覆するようにメッシュ蓋１１ｃが取り付けられているものである。一方、シャワー吐水部１２では多数の散水孔３が穿設してあるものである。上記多数の散水孔３の穿設の配列にはパターンがあり、複数の散水孔３が散水板２の中央部を中心として環状に配列されて散水孔列４を形成し、散水板２の中央部から外周縁に亘って同心円状に複数列の散水孔列４を配置してあるものである。そして、同心円状に配置された複数列の散水孔列４のうち散水板２の中央部に近い散水孔列４の散水孔３ほど径の大きな散水孔３ａにしてあり、反対に、散水板２の外周縁に近い散水孔列４の散水孔３ほど径の小さな散水孔３ｂにしてあるものである。シャワー吐水部１２では散水板２の略円錐板状の形状により、径の大きな散水孔３ａが吐水方向の先方に位置し、径の小さい散水孔３ｂが吐水方向の後方に位置しているものである。
【００１２】
上記のように構成されたシャワー体１０を使用する際には、操作レバー７を操作することで給水管路からシャワーヘッド１に湯水を供給することができる。そして、シャワーヘッド１の押釦１４を操作することで、シャワーヘッド１に供給された湯水をストレート吐水部１１とシャワー吐水部１２とに振り分けるものである。まず、シャワーヘッド１に供給された湯水がストレート吐水部１１に振り分けられた際には、上記湯水が開口１１ａからストレート水として噴出されるものである。次に、シャワーヘッド１に供給された湯水がシャワー吐水部１２に振り分けられた際には、上記湯水がシャワー吐水部１２からシャワー水Ｄとして噴出されるものである。ここで、シャワー水Ｄは散水板２に穿設された多数の散水孔３から噴出されたシャワー分流ｄの集合体を指すものとする。上述したようにシャワー吐水部１２に穿設された多数の散水孔３は複数条の散水孔列４の散水孔３の孔径を中央部にある散水孔列４から外周部にある散水孔列４に向って漸次小さく形成しているので、シャワー水Ｄの中央部から外周部に向って漸次細くなるようにシャワー分流ｄが各々形成されているものである。
【００１３】
上記シャワー水Ｄは洗面ボウル等に向って噴出され、シャワー水Ｄが洗面ボウルに着地するとその衝撃から湯水が跳ね返るものである。本例の場合はこの跳ね返りを極力小さくしているものである。つまり、シャワー水Ｄの外周縁に位置する径の小さな散水孔３ｂから噴出されるシャワー分流ｄ2は流量が少ない細いものに形成されており、上記シャワー水Ｄの外周縁のシャワー分流ｄ2は洗面ボウル等に当たっても衝撃が少ない為にそれほど跳ね返りが起こらないものである。それに反して、シャワー水Ｄの中央部に位置する径の大きな散水孔３ａから噴出されるシャワー分流ｄ1は流量が多く太いものであるので、洗面ボウル等に当たると衝撃が大きい為に跳ね返りが生じやすいものである。しかし、上記のようにシャワー水Ｄの外周縁にシャワー分流ｄ2が位置しているために、シャワー水Ｄの中央部のシャワー分流ｄ1の跳ね返った湯水はシャワー分流ｄ2と干渉し、シャワー水Ｄよりも外側に飛ばないように包み込むものである。このようにして、シャワー水Ｄの湯水の跳ね返りを小さくすることを図っているものである。
【００１４】
また、本例はシャワーヘッド１に供給される湯水の中に微細なゴミ５が含まれるものであっても、散水孔３を塞がないような工夫がされているものである。本例においては、上述したように、シャワー吐水部１２に穿設された多数の散水孔３のうち、散水板２の中央部に径が大きい散水孔３ａを配すると共に散水板２の外周縁に径が小さい散水孔３ｂを配しており、また、散水板２の形状が略円錐板状に形成しているので、径の大きな散水孔３ａが吐水方向の先方に位置し、径の小さい散水孔３ｂが吐水方向の後方に位置しているものである。シャワーヘッド１に給水管路から湯水が供給され、散水板２の散水孔３からシャワー水Ｄが噴出するように湯水が流れる場合、径の大きな散水孔３ａが径の小さな散水孔３ｂよりも噴出する流量が多いものであり、全体的に見てシャワーヘッド１から散水板２に流れる湯水の流れは、図２の矢印Ａのように、径の大きな散水孔３ａに向って流れるものである。径の大きな散水孔３ａは散水板２の中央部付近で吐水方向の前方に配置されているので、シャワーヘッド１の側壁付近の湯水の流れは、図２の矢印Ｂのように、吐水方向の前方に向って円錐板状の中央部が突出する散水板２のシャワーヘッド側の傾斜面に沿って径の大きな散水孔３ａに向かう流れＢが形成されるものである。シャワーヘッド１に供給される湯水の中に含まれる微細なゴミ５等は上記のような湯水の流れＡ，Ｂに大きく影響されるものであるので、微細なゴミ５等は径の大きな散水孔３ａに向う流れＡ，Ｂにより運ばれるものであり、径の大きな散水孔３ａから湯水と共に外に噴出されるので、径の小さな散水孔３ｂの詰まりを発生させにくいものとしているのである。
【００１５】
また、少なくとも散水板２は樹脂成形で製造されることが好ましく、これにより、製造上容易に形成することができ、またコストダウンも図れるものである。
【００１６】
【発明の効果】
上記のように本発明の請求項１記載のシャワーヘッドの散水部の構造にあっては、シャワーヘッドの吐水口に散水板を設け、上記散水板に散水孔を環状に列設して形成した散水孔列を同心円状に複数条列設し、複数条の散水孔列の散水孔の孔径を中央部にある散水孔列から外周部にある散水孔列に向って漸次小さく形成したので、散水板の多数の散水孔から噴出されるシャワー分流がシャワー水の中央部から外周部に向って漸次細くなるように形成され、上記シャワー水が洗面ボウル等に着地した際には、シャワー水の外周縁に位置する径の小さな散水孔から噴出されるシャワー分流は流量が少ないので湯水の跳ね返りを小さなものとすることができ、また、シャワー水の中央部に位置する径の大きな散水孔から噴出されるシャワー分流は流量が多く湯水の跳ね返りは大きなものであるが、跳ね返った湯水のうち外側に飛散するものはシャワー水の外周縁に位置するシャワー分流が外側に飛散するのを遮断するものであり、シャワー水の湯水の跳ね返りを大幅に抑えることができるものである。
【００１７】
また、散水板の内面を外周縁から中央部に亘って吐水方向に傾斜させたので、径の大きな散水孔は湯水を噴出する流量が多いものであるのでシャワーヘッドから散水板に至る湯水の流路では径の大きな散水孔に向って流れる流れが主流になるものであり、また、散水板の内面では流量の少ない径の小さな散水孔が配された外周縁から径の大きな散水孔が配された中央部に向って吐水方向に突出して傾斜しているので、散水板の内面に沿って径の大きな散水孔に向かう湯水の流れが形成されるものであり、湯水に含まれる微細なゴミは径の大きな散水孔に向う湯水の流れの影響を大きく受けるものであるので、ゴミは湯水の流れに運ばれて散水板の中央部に移動し、径の大きな散水孔からシャワーヘッドの外部に噴出されるものであり、ゴミが径の小さな散水孔に詰まることを防止するものである。
【００１８】
また、本発明の請求項２記載のシャワーヘッドの散水部の構造にあっては、請求項１の効果に加えて、少なくとも散水板を樹脂により形成したので、製造上容易に形成することができ、またコストダウンも図れるものである。
【図面の簡単な説明】
【図１】本発明の実施の形態の散水板の下面図である。
【図２】同上の湯水を供給してシャワー水を噴出させた状態の散水板の側面断面図である。
【図３】同上の散水板の正面図である。
【図４】同上のシャワー体を洗面化粧台に装着した状態の斜視図である。
【図５】同上のシャワー体の散水板と散水板を示す分解斜視図である。
【符号の説明】
１  シャワーヘッド
２  散水板
３  散水孔
３ａ  径の大きな散水孔
３ｂ  径の小さな散水孔
４  散水孔列
５  ゴミ
１１  ストレート吐水部
１２  シャワー吐水部
１３  散水板取付縁
Ｄ  シャワー水
ｄ  シャワー分流
Ｘ  吐水方向
【図１】
0003661557.tif 000002
【図２】
0003661557.tif 000003
【図３】
0003661557.tif 000004
【図４】
0003661557.tif 000005
【図５】
0003661557.tif 000006